(57)【要約】      （修正有）【課題】プロジェクタによる投写画像領域を映像表示領域と照明領域に分け、照明領域の調光が自由にでき、照明領域では照明モードとして、画像表示領域では画像表示モードとしてそれぞれ利用できる投写型映像表示装置を提供する。【解決手段】入力された映像信号に基づく映像画像と、照明として用いる照明画像とを合成して投写画像を作成する画像処理部２４と、画像処理部２４を制御する制御部１０と、投写画像を投写画像領域に投写する投写部２８とを備え、制御部１０は、照明画像が略一様な色表示となるように画像処理部２４を制御する。【選択図】図４
2013050623.tif 000002
【特許請求の範囲】
【請求項１】
入力された映像信号に基づく映像画像と、照明として用いる照明画像とを合成して投写画像を作成する画像処理部と、
前記画像処理部を制御する制御部と、
前記投写画像を投写画像領域に投写する投写部とを備え、
前記制御部は、前記照明画像が略一様な色表示となるように前記画像処理部を制御する、投写型映像表示装置。
【請求項２】
前記制御部は、前記照明画像の輝度を前記映像画像の輝度とは独立して調整するように前記画像処理部を制御する、請求項１に記載の投写型映像表示装置。
【請求項３】
前記投写型映像表示装置は、
前記投写型映像表示装置の周囲の照度に関する情報を検知するセンサと、
前記周囲の照度に関する情報に対応する前記照明画像の基準輝度情報を格納する記憶部とを備え、
前記制御部は、前記周囲の照度に関する情報と前記基準輝度情報とに基づいて、前記照明画像の輝度を調整するように前記画像処理部を制御する、請求項２に記載の投写型映像表示装置。
【請求項４】
前記投写型映像表示装置は、
前記投写画像領域を撮像する撮像部をさらに備え、
前記制御部は、前記撮像部によって撮像された撮像画像に基づいて、前記照明画像の輝度を調整するように前記画像処理部を制御する、請求項２に記載の投写型映像表示装置。
【請求項５】
前記投写型映像表示装置は、
前記映像画像の有無による前記照明画像の輝度比に対応する前記照明画像の基準輝度の情報が予め格納される記憶部をさらに備え、
前記制御部は、
前記映像画像と前記照明画像とが前記投写部からともに投写されている場合の前記照明画像のうちの第１の領域を前記撮像部が撮像して得た第１の情報と、前記映像画像と前記照明画像とが前記投写部からともに投写されていない場合の前記投写画像領域のうちの第２の領域を前記撮像部が撮像して得た第２の情報とに基づき、前記第１および第２の情報とに基づいて、前記照明画像の輝度を調整する、請求項４に記載の投写型映像表示装置。
【請求項６】
前記投写型映像表示装置は、
操作部をさらに備え、
前記制御部は、前記操作部からの操作に応じて、前記投写画像のうちの前記映像画像の表示領域を調整するように前記画像処理部を制御する、請求項１に記載の投写型映像表示装置。
【発明の詳細な説明】
【技術分野】
【０００１】
本発明は、投写型映像表示装置に関し、特にカメラと電子ペンを用いてインタラクティブシステムを実現する投写型映像表示装置に関する。
【背景技術】
【０００２】
従来、プロジェクタを照明機器としても併用するため、プロジェクタの本来の機能である入力映像を投写画面に投写する画像表示モードと、照明機器としてプロジェクタを使用する照明モードの切換が行われてきた。
【０００３】
このような技術を開示するものとして、特開平８−１６３４７６号公報（特許文献１）がある。この特開平８−１６３４７６号公報（特許文献１）の目的は、投射位置を自在に変更でき、また未使用時の片付けの手間を不要とし、さらにスペースと移動時間の無駄を省け、かつ液晶パネル使用の利点を生かせるスタンド付液晶プロジェクタ装置の提供をすることである。特開平８−１６３４７６号公報（特許文献１）に開示される発明に係るスタンド付液晶プロジェクタ装置は、画像情報が表示される液晶パネルと、上記液晶パネルに光を照射する光源と、上記液晶パネルを透過した光を被表示体に投射する投射レンズと、上記液晶パネルを透過し上記投射レンズに入射する光を画像情報によって制御された光とするかまたは任意の照明光とするかを切り換える切換手段とを有する液晶プロジェクタ部と、上記液晶プロジェクタ部を自在に任意の角度で支持する自在腕部と、上記自在腕部を固定する固定手段とを備える。
【先行技術文献】
【特許文献】
【０００４】
【特許文献１】特開平８−１６３４７６号公報
【発明の概要】
【発明が解決しようとする課題】
【０００５】
確かに、特開平８−１６３４７６号公報（特許文献１）に開示された発明においては、照明機器として使用する照明モードでは液晶プロジェクタの液晶パネル全画面は、均一な色温度の色に調整される。
【０００６】
しかしながら、特開平８−１６３４７６号公報（特許文献１）に開示された発明においては、画像表示モードと照明モードとを同時に利用することができず、どちらか一方しか利用することができないという問題がある。
【０００７】
そこで、本発明の一実施例の目的は、プロジェクタによる投写画像領域を映像表示領域と照明領域に分け、照明領域の調光が自由にでき、照明領域では照明モードとして、画像表示領域では画像表示モードとしてそれぞれ利用できる投写型映像表示装置を提供することである。
【課題を解決するための手段】
【０００８】
この発明によれば、投写型映像表示装置であって、入力された映像信号に基づく映像画像と、照明として用いる照明画像とを合成して投写画像を作成する画像処理部と、画像処理部を制御する制御部と、投写画像を投写画像領域に投写する投写部とを備え、制御部は、照明画像が略一様な色表示となるように画像処理部を制御する。
【０００９】
好ましくは、制御部は、照明画像の輝度を映像画像の輝度とは独立して調整するように画像処理部を制御する。
【００１０】
さらに好ましくは、投写型映像表示装置は、投写型映像表示装置の周囲の照度に関する情報を検知するセンサと、周囲の照度に関する情報に対応する照明画像の基準輝度情報を格納する記憶部とを備え、制御部は、周囲の照度に関する情報と基準輝度情報とに基づいて、照明画像の輝度を調整するように画像処理部を制御する。
【００１１】
好ましくは、投写型映像表示装置は、投写画像領域を撮像する撮像部をさらに備え、制御部は、撮像部によって撮像された撮像画像に基づいて、照明画像の輝度を調整するように画像処理部を制御する。
【００１２】
さらに好ましくは、投写型映像表示装置は、映像画像の有無による照明画像の輝度比に対応する照明画像の基準輝度の情報が予め格納される記憶部をさらに備え、制御部は、映像画像と照明画像とが投写部からともに投写されている場合の照明画像のうちの第１の領域を撮像部が撮像して得た第１の情報と、映像画像と照明画像とが投写部からともに投写されていない場合の投写画像領域のうちの第２の領域を撮像部が撮像して得た第２の情報とに基づき、第１の情報と第２の情報とに基づいて、照明画像の輝度を調整する。
【００１３】
好ましくは、投写型映像表示装置は、操作部をさらに備え、制御部は、操作部からの操作に応じて、投写画像のうちの映像画像の表示領域を調整するように画像処理部を制御する。
【発明の効果】
【００１４】
本発明の一実施例においては、ユーザが自由に照明領域の輝度を調整でき、映像表示領域および照明領域がそれぞれ適切な輝度で表示される。
【図面の簡単な説明】
【００１５】
【図１】この発明の実施の形態に係る投写型映像表示装置の外観構成を示す図である。
【図２】プロジェクタ１００を説明するための模式図である。
【図３】プロジェクタ１００とユーザとの位置関係を示す図である。
【図４】図１におけるプロジェクタ１００の主要部の制御ブロック図である。
【図５】映像表示領域３の縮小・拡大表示を説明するための図である。
【図６】照明領域２の輝度の調整を説明するための図である。
【図７】プロジェクタ１００による投写映像領域の構成の一例である。
【図８】プロジェクタ１００による投写映像領域の構成の別の一例である。
【図９】実施の形態の変形例１のプロジェクタ１００Ａの斜視図である。
【図１０】実施の形態の変形例１のプロジェクタ１００Ａの構成を示すブロック図である。
【図１１】環境光情報に基づいて照明領域２の輝度が変更されるサブルーチンプログラムを示すフローチャートである。
【図１２】実施の形態の変形例２のプロジェクタ１００Ｂの斜視図である。
【図１３】実施の形態の変形例２のプロジェクタ１００Ｂの構成を示すブロック図である。
【図１４】撮像部４０からの撮像された画像に基づき照明領域の輝度が変更されるサブルーチンプログラムを示すフローチャートである。
【図１５】実施の形態の変形例２の撮像部４０の撮像領域の一例を示す図である。
【図１６】照明領域２の輝度比を説明するための図である。
【発明を実施するための形態】
【００１６】
以下、本発明について図面を参照して詳しく説明する。なお、図中同一または相当部分には同一の符号を付してその説明は繰返さない。
【００１７】
［実施の形態］
図１は、この発明の実施の形態に係る投写型映像表示装置の外観構成を示す図である。代表的に投写型映像表示装置（以下、プロジェクタという）である。
【００１８】
図１を参照して、プロジェクタ１００は、いわゆる短焦点投写型のプロジェクタであって、略方形状の本体キャビネット１００ａを備える。本体キャビネット１００ａの上面には、後方に向けて下る第１傾斜面１０１と、この第１傾斜面１０１に続いて後方に向けて下る第２傾斜面１０２とが形成される。第２傾斜面１０２は下斜め前方を向いており、この第２傾斜面１０２に投写口１０３が形成される。投写口１０３から下斜め前方へ出射された投写映像が、プロジェクタ１００の前方に配された机上１Ａ上の投写面１Ｂに拡大投写される。投写面１の領域には、投写口１０３から投写された照明領域２が設けられる。
【００１９】
図２は、プロジェクタ１００を説明するための模式図である。
図２を参照して、図１のプロジェクタ１００の投写口１０３により投写された映像は、映像表示領域３に表示される映像画像および照明領域２に表示される照明画像を含む。すなわち、映像表示領域３には、外部から入力された映像画像が表示され、照明領域２は、照明として利用される略一様な色の照明画像が表示される。
【００２０】
従って、照明画像がプロジェクタ１００から与えられるため、たとえば、照明領域２においてノートや読書等の種々の行為を適切な照明の下で行うことができる。
【００２１】
図３は、プロジェクタ１００とユーザとの位置関係を示す図である。図３を参照して、ユーザとプロジェクタ１００とは対向し、ユーザとプロジェクタ１００との間の領域（投写画像領域）に投写映像が投写される。この投写映像領域は、照明領域２および映像表示領域３を含む。さらに、この映像表示領域３は、領域の境界に一定の幅を有する分離領域３ａを有する。この分離領域３ａにより、映像表示領域３の映像画像と照明領域２の照明画像との対比（コントラスト）が明確にでき、映像表示領域３での映像画像が輪郭のはっきりした画像（いわゆる引き締まった画像）となる。なお、画像処理部２４は、映像画像と照明として利用される照明画像とを分離する分離画像と映像画像とともに合成する処理を行う。
【００２２】
図４は、図１におけるプロジェクタ１００の主要部の制御ブロック図である。
図４を参照して、プロジェクタ１００は、入力部２０と、操作受付部１６とを備える。入力部２０は、外部の信号供給装置（図示せず）から供給される画像信号を受付るための入力ポートを含む。信号供給装置には、ＤＶＤ（Ｄｉｇｉｔａｌ  Ｖｅｒｓａｔｉｌｅ  Ｄｉｓｃ）再生装置、Ｂｌｕ−Ｒａｙディスク再生装置などのデジタル信号を出力するデジタル信号供給装置と、コンピュータなどのアナログ信号を出力するアナログ信号供給装置とが含まれる。
【００２３】
操作受付部１６は、ユーザが動作するリモコン（リモートコントローラの略）から送信される赤外線変調されたリモコン信号を受信する。リモコン信号には、プロジェクタ１００を遠隔制御するためのコマンド信号が含まれる。
【００２４】
なお、操作受付部１６は、リモコン信号を受信するだけでなく、プロジェクタ１００の本体に設けられ、プロジェクタ１００を操作するための複数の操作用ボタンを有する操作部（図示せず）からの信号を受付けることができる。
【００２５】
すなわち、操作受付部１６は、操作部あるいはリモコンへの操作がなされると、当該操作を受付け、制御部１０へ各種動作のトリガとなるコマンド信号を送る。
【００２６】
プロジェクタ１００は、画像入力部２２と、画像処理部２４と、液晶表示駆動部２６と、画像投写部２８と、制御部１０と、記憶部１２とをさらに備える。
【００２７】
画像入力部２２は、画像データを画像処理部２４に入力する。具体的には、画像入力部２２は、入力部２０に接続されており、入力部２０から入力された画像信号を、画像処理部２４で処理可能な形式の画像データに変換し、画像処理部２４に出力する。
【００２８】
画像処理部２４は、制御部１０からの指示に基づいて、画像入力部２２から供給された画像データに対し、解像度を液晶パネル（図示せず）の解像度（画素数）に合わせる解像度変換や、輝度調整、コントラスト調整、シャープネス調整などの各種画質調整を行う。さらに、画像処理部２４は映像表示領域３に表示される映像画像と照明領域２に表示される照明として用いられる略一様な色表示を合成した照明画像を液晶表示駆動部２６に出力する。なお、画像処理部２４から出力される画像信号は、液晶パネルのすべての画素に対応する複数の画素値によって構成されている。画素値とは、対応する画素の光透過率を定めるものである。
【００２９】
液晶表示駆動部２６は、画像処理部２４から出力された画像信号に従い、画像投写部２８による画像の表示動作を制御するための駆動信号を生成して画像投写部２８に出力する。この結果、画像信号に応じた画像（画像光）が画像投写部２８から投写される。
【００３０】
画像投写部２８は、いずれも図示はしないが光源を有する光学エンジンと、投写レンズとを含む。
【００３１】
制御部１０は、ＣＰＵ（Ｃｅｎｔｒａｌ  Ｐｒｏｃｅｓｓｉｎｇ  Ｕｎｉｔ）、フラッシュメモリ等からなるＲＯＭ（Ｒｅａｄ  Ｏｎｌｙ  Ｍｅｍｏｒｙ）、各種データ等の一時記憶等に用いられるＲＡＭ（Ｒａｎｄｏｍ  Ａｃｃｅｓｓ  Ｍｅｍｏｒｙ）等（いずれも図示せず）を備え、コンピュータとして機能するものである。制御部１０は、ＣＰＵが記憶部１２に記憶されている制御プログラムに従って動作することにより、プロジェクタ１００の動作を統括制御する。なお、この制御プログラムには、後述する環境光センサによる照明領域の輝度を向上するためのプログラムおよびカメラモジュールを用いた照明領域の輝度を向上するためのプログラムが含まれている。なお、上記のような制御については、ソフトウェアによる処理に限られず、専用のハードウェア（電子回路）で処理することも可能である。
【００３２】
制御部１０は、映像表示領域調整部１０ａと照明輝度調整部１０ｂとを含む。映像表示領域調整部１０ａは、入力部２０から入力された映像を表示する映像表示領域３の調整を行う。照明輝度調整部１０ｂは、たとえば操作受付部１６からの操作などに従い、照明領域２の輝度の増減調整を行う。
【００３３】
図５は、映像表示領域３の縮小・拡大表示を説明するための図である。図５を参照して、プロジェクタ１００は、操作部７０をさらに含む。この操作部７０は、映像表示領域３を縮小または拡大表示するためのボタン７２，７４を含む。ユーザがこのボタン７２，７４を押すことによって、操作部７０は制御部１０に映像表示領域３の縮小・拡大表示を行うトリガ信号を送信する。このトリガ信号を受け、制御部１０に含まれる映像表示領域調整部１０ａが調整し、映像表示領域３の縮小・拡大表示を制御する。
【００３４】
具体的には、図５の（ａ）が示すように、拡大表示させるボタン７４を押し続けることによって、映像表示領域３が拡大表示されるとともに、映像画像４も映像表示領域３との比率を維持しつつ拡大表示される。一方、図５の（ｂ）が示すように、縮小表示させるボタン７２を押し続けることによって、映像表示領域３が縮小表示されるとともに、映像画像４も映像表示領域３との比率を維持しつつ縮小表示される。
【００３５】
ここでは、ボタン７２，７４を押し続けることにより、映像表示領域３は連続的に縮小・拡大表示されることとしたが、ボタン７２，７４を数回押すことにより、その回数に応じて段階的に縮小・拡大表示の処理を行ってもよい。
【００３６】
また、リモコンにも、操作部７０と機能的に同等なボタンを持たせることにより、映像表示領域の縮小・拡大表示を行うことができる。
【００３７】
図６は、照明領域２の輝度の調整を説明するための図である。図６を参照して、プロジェクタ１００は、操作部８０をさらに含む。この操作部８０は、照明領域２の輝度（明るさ）を調整するためのボタン８２，８４を含む。ユーザがこのボタン８２，８４を押すことによって、操作部８０は制御部１０に照明領域２の輝度（明るさ）の調整を行うトリガ信号を送信する。このトリガ信号を制御部１０に含まれる照明輝度調整部１０ｂが調整し、照明領域２の輝度（明るさ）を制御する。
【００３８】
具体的には、図６の（ａ）は、ユーザが照明領域２の輝度（明るさ）をボタン８２，８４で調整する前の照明領域２の輝度を表示している。この図６の（ａ）の照明領域２の輝度（明るさ）から、ボタン８２，８４を操作することにより、照明領域２の輝度（明るさ）をユーザは自由に調整できる。なお、照明領域２の輝度の調整は、映像表示領域３の映像画像４の輝度とは独立して調整が可能である。
【００３９】
たとえば、図６の（ｂ−１）が示すように、ユーザが照明領域２の輝度（明るさ）を増加するボタン８４を押し続けることによって、映像表示領域３の映像画像４の輝度とは独立して照明領域２の輝度（明るさ）が増加し、照明領域は明るくなる。
【００４０】
また、図６の（ｂ−１）の照明領域２の輝度（明るさ）からボタン８２を押すことによって、図６の（ｂ−２）が示すように、ユーザは照明領域２の輝度（明るさ）を減少させ、照明領域２を暗くすることができる。また、このボタン８２をさらに押し続けることによって、図６の（ｂ−３）が示すように、ユーザは照明領域２の輝度（明るさ）を減少させ、照明領域２をさらに暗くすることができる。
【００４１】
ここでは、ボタン８２，８４を押し続けることにより、照明領域２の輝度（明るさ）の明暗は調整されることとしたが、ボタン８２，８４を数回押すことにより、同様な照明領域２の輝度（明るさ）の明暗の調整の処理を行ってもよい。
【００４２】
また、リモコンにも、操作部８０と機能的に同等なボタンを持たせることにより、映像表示領域の縮小・拡大表示を行うことができる。
【００４３】
また、上述した映像表示領域３の縮小・拡大表示機能を有する操作部７０と、この照明領域２の輝度（明るさ）の調整機能を有する操作部８０とを個別にプロジェクタ１００に設けたが、両機能を合わせて１つの操作部を持たせてもよい。
【００４４】
図７は、プロジェクタ１００による投写映像領域の構成の一例である。
図７を参照して、プロジェクタ１００による投写画像領域は、照明領域２と、映像表示領域３とを含む。
【００４５】
この投写画像領域は、プロジェクタ１００とユーザとの間に投写され、映像表示領域３は領域Ｐを示し、照明領域２は領域Ａ１〜Ａ８を示す。領域Ｐは、上述した操作受付部１６を介して、その表示領域を縮小・拡大でき、かつ自由に配置できる。一方、照明領域Ａ１〜Ａ８では、照明として用いられるため照明画像は略一様な色表示がなされる。
【００４６】
ここで、照明領域２の全領域（領域Ａ１〜Ａ８）について照明画像が略一様な色の表示であると説明したが、必ずしも全領域の照明画像が略一様な色の表示であることは必要ない。すなわちユーザにとって利用する領域において照明画像が略一様な色表示であればよい。たとえば、領域Ａ４，Ａ６，Ａ８においてはユーザが使用する可能性は少ないため、これらの領域Ａ４，Ａ６，Ａ８以外の領域の照明画像が略一様な色の表示であればよく、この領域Ａ４，Ａ６，Ａ８の照明画像まで略一様な色表示である必要はない。
【００４７】
すなわち、ユーザが実質的に利用する可能性の高い領域Ａ１〜Ａ３，Ａ５，Ａ７あるいは少なくとも領域Ａ１〜Ａ３の照明画像において略一様な色の表示がなされていればよい。
【００４８】
図８は、プロジェクタ１００による投写映像領域の構成の別の一例である。
図８を参照して、図７と同様に、この投写画像領域は、プロジェクタ１００とユーザとの間に投写され、映像表示領域３として領域Ｑが示され、照明領域２として領域Ａ１〜Ａ８が示される。照明領域Ａ１〜Ａ８では略一様な色表示がなされる。図７を用いて説明したように、ユーザが実質的に利用する可能性が高い領域において少なくとも領域Ａ３，Ａ５，Ａ７において略一様な色の表示がなされていればよい。
【００４９】
［実施の形態の変形例１］
図９は、実施の形態の変形例１のプロジェクタ１００Ａの斜視図である。
【００５０】
図９を参照して、図２のプロジェクタ１００と比較しつつ、プロジェクタ１００Ａを説明する。プロジェクタ１００Ａは、プロジェクタ１００の構成に加えて、プロジェクタ１００Ａの周囲の明るさ（照度）や光量の情報（以下、環境光情報という。）を検知する環境光センサ３０を備える。
【００５１】
この環境光センサ３０は、投写面である机上からある程度離れた距離を持ち、ユーザと対向するプロジェクタ１００Ａの面に設置される。なお、環境光センサ３０の設置場所は、これに限らず、たとえばプロジェクタ１００Ａから分離され、プロジェクタ１００Ａの周辺に設置してもよい。また、プロジェクタ１００Ａの上底に環境光センサ３０を設置してもよい。
【００５２】
この環境光センサ３０から検知された環境光情報に基づき照明領域２の明るさ（輝度）をプロジェクタ１００Ａにおいて調整を行う。
【００５３】
なお、プロジェクタ１００Ａの他の構成は、プロジェクタ１００と同様なため説明は繰返さない。
【００５４】
図１０は、実施の形態の変形例１のプロジェクタ１００Ａの構成を示すブロック図である。図３のプロジェクタ１００と比較しつつ、プロジェクタ１００Ａを説明する。
【００５５】
図１０を参照して、プロジェクタ１００Ａは、図３のプロジェクタ１００の構成に加えて、すでに説明した環境光センサ３０と、環境光センサ３０が検知した環境光情報を取得する環境光情報取得部３２とをさらに備える。
【００５６】
環境光センサ３０は、プロジェクタ１００Ａの周囲の明るさ（照度）や光量を検知する。環境光情報取得部３２は、環境光センサから与えられた環境光情報を取得する。
【００５７】
一方、記憶部１２には、環境光情報に対する照明領域２の基準輝度データが格納されている。この環境光情報と基準輝度データとに基づいて、制御部１０（特に照明輝度調整部１０ｂ）によって照明領域２の明るさ（輝度）が自動調整される。なお、環境光センサ３０から検知された環境光情報に基づき、照明領域２の明るさ（照度）の自動調整が行われることを説明したが、これに限らず、映像表示領域についても同様な調整を行うこととしてもよい。
【００５８】
この構成を取ることにより、周囲の明るさ（照度）に応じて照明領域の明るさ（輝度）が自動で調整される。
【００５９】
図１１は、環境光情報に基づいて照明領域２の輝度が変更されるサブルーチンプログラムを示すフローチャートである。このサブルーチンプログラムは、一定時間毎にあるいは周囲の明るさ（照度）の変化に応じて任意にメインプログラムから呼び出されて実行される。
【００６０】
図１０、図１１を参照して、環境光センサ３０は周囲の明るさ（照度）を検出するなどして、ステップＳ１において、環境光情報取得部３２は環境光センサ３０から検出された環境光情報を取得する。
【００６１】
そして、ステップＳ２において、制御部１０は、記憶部１２に格納された環境光情報に対する照明領域２の基準輝度データの取得（読出し）を行う。この基準輝度データには実際の環境光情報に対応する照明領域２の最適な輝度の値が含まれ、基準輝度データは記憶部１２に予め格納されている。
【００６２】
そして、ステップＳ３において、制御部１０（特に、照明輝度調整部１０ｂ）は、環境光センサ３０から取得した実際の環境光情報に対応して基準輝度データから照明領域２の基準輝度を選択し、照明領域２の輝度が基準輝度になるように調整を行い、次のステップＳ４に処理が進む。ステップＳ４において、このサブルーチンプログラムの実行が終了し、メインプログラムへ処理が戻る。
【００６３】
なお、ステップＳ１およびステップＳ２の処理を行う順序は、ステップＳ２の処理を終了後、ステップＳ１の処理を行ってもよい。
【００６４】
これにより、周囲の明るさ（照度）の変化する場合でも、照明画像の輝度（明るさ）は、常に適切な状態になるように自動調整されることが可能となる。
【００６５】
［実施の形態の変形例２］
図１２は、実施の形態の変形例２のプロジェクタ１００Ｂの斜視図である。
【００６６】
図１２を参照して、図２のプロジェクタ１００と比較しつつ、プロジェクタ１００Ｂを説明する。プロジェクタ１００Ｂは、プロジェクタ１００の構成に加えて、照明領域２の輝度を測定するための撮像部４０を備える。
【００６７】
この撮像部４０は、投写面である机上からある程度離れた距離を持ち、ユーザと対向するプロジェクタ１００Ａの面に設置される。
【００６８】
なお、実施の形態の変形例２の他の構成については、実施の形態と同様であるため説明は繰返さない。
【００６９】
図１３は、実施の形態の変形例２のプロジェクタ１００Ｂの構成を示すブロック図である。図３のプロジェクタ１００と比較しつつ、プロジェクタ１００Ｂを説明する。
【００７０】
図１３を参照して、プロジェクタ１００Ｂは、プロジェクタ１００の構成に加えて、投写画像を含む領域を、撮像面を介して撮像して撮像画像を生成する撮像部４０を備える。撮像部４０は、撮像素子と、この撮像素子の各画素からの出力信号の取得など撮像素子を制御する撮像素子制御部と、撮像光学系とを含む。撮像素子としては、たとえばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などを用いることができる。なお、撮像部４０の撮像範囲は、投写画像が十分収まる範囲とする。
【００７１】
プロジェクタ１００Ｂは、撮像部４０によって撮像された照明領域２の照明画像を解析する画像解析部４２を含む。画像解析部４２は、撮像画像を解析し、撮像された領域の輝度の計測を行う。一方、記憶部１２には、照明領域２の照明画像の輝度に応じた基準輝度データが格納されている。この画像解析部４２により画像解析された輝度情報と基準輝度データとに基づき、制御部１０（特に照明輝度調整部１０ｂ）によって照明領域２の明るさ（輝度）が自動調整される。なお、プロジェクタ１００Ｂの他の構成は、プロジェクタ１００と同様なため説明は繰返さない。
【００７２】
図１４は、撮像部４０からの撮像された画像に基づき照明領域の輝度が変更されるサブルーチンプログラムを示すフローチャートである。たとえば、撮像部４０の撮像素子としてはカメラモジュールなどが該当する。このサブルーチンプログラムは、一定時間毎にあるいは撮像画像の輝度の変化に応じて任意にメインプログラムから呼び出されて実行される。
【００７３】
図１５は、実施の形態の変形例２の撮像部４０の撮像領域の一例を示す図である。
図１４、図１５を参照して、たとえば、撮像部４０によって投写画像を撮像することを開始するなどして、ステップＳ１１において、映像表示領域３に表示される映像画像と照明領域２に照明と用いられる照明画像とがともに投写される場合において、図１５の（ａ）が示すように照明領域２に設けられている領域５ａを撮像部４０が撮像して得た周囲の明るさ（照度）に関する情報ＬＡ（たとえば輝度に関する情報）を制御部１０は得て、次のステップＳ１２に処理が進む。
【００７４】
そして、ステップＳ１２において、映像表示領域３に表示される映像画像と照明領域２に照明と用いられる照明画像とがともに投写されない場合において、図１５の（ｂ）が示すように、ステップＳ１１において映像表示領域３に表示される映像画像と照明領域２に照明と用いられる照明画像が投写された領域（投写画像領域）のうちの領域５ｂを撮像部４０が撮像して得た周囲の明るさ（照度）に関する情報ＬＢ（たとえば輝度に関する情報）を制御部１０は得て、次のステップＳ１３に処理が進む。ここで、領域５ｂは、ステップＳ１１において撮像部４０が撮像した領域５ａと領域５ｂとは実質的に同じ領域である必要はなく、所望の領域を指定することができる。なお、以下の説明においてステップＳ１１およびステップＳ１２において撮像部４０によって撮像される領域５ａ，５ｂは、撮像領域５ａ，５ｂとも称される。
【００７５】
そして、ステップＳ１３において、制御部１０は、ステップＳ１１とステップＳ１２とによって取得した周囲の明るさ（照度）に関する情報ＬＡ，ＬＢ（たとえば輝度に関する情報）を用いて輝度比を算出すし、次のステップＳ１４に処理が進む。
【００７６】
ステップＳ１４において、制御部１０は、記憶部１２に格納されている基準輝度とステップＳ１３において算出された輝度比に基づいて、照明領域２の照明画像の輝度を調節する。なお、基準輝度を用いて照明画像の輝度を調整したが、基準輝度を用いなくとも、ステップＳ１３において算出された輝度比に基づいて、照明領域２の照明画像の輝度を調節してもよい。
【００７７】
これにより、周囲の明るさ（照度）に合わせて、自動的に照明として利用される照明画像の輝度を自動で変更できる。
【００７８】
図１６は、照明領域２の輝度比を説明するための図である。図１６を参照して、図１６の（１）および（２）のそれぞれの横軸には、撮像領域５ａ，５ｂがそれぞれ示され、図１６の（１）および（２）の縦軸には、撮像領域５ａ，５ｂでの撮像画像の輝度がそれぞれ示されている。
【００７９】
図１６の（１）では、暗い環境下においての撮像領域５ａ，５ｂの輝度が輝度Ｌ２，Ｌ１としてそれぞれ示される。
【００８０】
ここで、暗い環境下における照明領域２の照明画像の輝度比Ｐ１は（Ｌ２−Ｌ１）／Ｌ１と示される。ここで、輝度差Ｌ２−Ｌ１は、周囲の明るさ（照度）等の影響を受けず、映像表示領域３の映像画像による影響のみを受けていることを示している。
【００８１】
一方、図１６の（２）では、明るい環境下においての撮像領域５ａ，５ｂの輝度が輝度Ｌ４，Ｌ３としてそれぞれ示される。
【００８２】
明るい環境下では、周囲からの照度の大きくなるため、全体的に暗い環境下のときと比較して撮像画像の輝度は増加する。この明るい環境下における照明領域２の照明画像の輝度比Ｐ２も輝度比Ｐ１と同様に（Ｌ４−Ｌ３）／Ｌ３と示される。
【００８３】
ここで、暗い環境下と明るい環境下との輝度比Ｐ１，Ｐ２を比較すると、暗い環境下での輝度比Ｐ１の方が輝度比Ｐ２よりも大きくなる。
【００８４】
従って、輝度比が大きいという場合は、照明領域２の明るさ（照度）が不足している可能性がある。一方、輝度比が小さいという場合は、照明領域２の明るさ（照度）が足りている可能性がある。
【００８５】
このような性質を用いて、記憶部１２に予め格納された基準輝度比データに基づき、制御部１０は照明領域２の明るさを自動調整する。
【００８６】
この自動調整は、ユーザにとって不便な場合もあるため、たとえば、操作受付部１６に上記調節を有効・無効にするボタン等の操作部を設けてもよい。また、ソフトウェア上でこの調整の有効・無効が設定されてもよい。
【００８７】
再び図１４を参照して、ステップＳ１４において、制御部１０が照明領域２の明るさを基準輝度比データに基づいて調整すると、処理は終了し、メインプログラムへ処理が戻る。これによって、プロジェクタ１００Ｂは撮像部を備えることにより、あらゆる環境下で照明領域２の明るさ（照度）を最適なものに自動的に調整でき、快適な明るさを維持できる。
【００８８】
なお、ステップＳ１１およびステップＳ１２の処理を行う順序は、ステップＳ１２の処理を終了後、ステップＳ１１の処理を行ってもよい。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１０  制御部、１０ａ  映像表示領域調整部、１０ｂ  照明輝度調整部、１２  記憶部、１６  操作受付部、２０  入力部、２２  画像入力部、２４  画像処理部、２６  液晶表示駆動部、２８  画像投写部、３０  環境光センサ、３２  環境光情報取得部、４０  撮像部、４２  画像解析部、７０，８０  操作部、１００，１００Ａ，１００Ｂ  プロジェクタ。
【図１】
2013050623.tif 000003
【図２】
2013050623.tif 000004
【図３】
2013050623.tif 000005
【図４】
2013050623.tif 000006
【図５】
2013050623.tif 000007
【図６】
2013050623.tif 000008
【図７】
2013050623.tif 000009
【図８】
2013050623.tif 000010
【図９】
2013050623.tif 000011
【図１０】
2013050623.tif 000012
【図１１】
2013050623.tif 000013
【図１２】
2013050623.tif 000014
【図１３】
2013050623.tif 000015
【図１４】
2013050623.tif 000016
【図１５】
2013050623.tif 000017
【図１６】
2013050623.tif 000018